(57)【特許請求の範囲】
【請求項１】
絶縁材から成る操作棒１１と、電柱１の周面に当てがわれる円弧状の当接部材１２とから成り、この当接部材１２の背面に第１のねじ部２０を設けるとともに、前記操作棒１１の先端部にこの第１のねじ部２０に螺合する第２のねじ部１９を設け、かつ前記当接部材１２に前記電柱１に巻き付けられるロープ１８の一端部を係止する係止部１７を設けるとともに、前記第１のねじ部２０に前記ロープ１８を挿入する貫通孔２１を形成し、かつこの貫通孔２１の内部に当接子２２を内蔵し、前記第２のねじ部１９の先端部にてこの当接子２２を押すことにより、この当接子２２を前記貫通孔２１に挿入された前記ロープ１８に押し当てて前記ロープ１８を固定することを特徴とする電柱の据付用案内具。
【請求項２】
前記操作棒１１に、水切りストッパ１５と限界ストッパ１６を間隔をおいて装着したことを特徴とする請求項１記載の電柱の据付用案内具。
【発明の詳細な説明】
【０００１】
【産業上の利用分野】
本発明は、電柱を地面に立設する際に使用する電柱の据付用案内具に関するものである。
【０００２】
【従来の技術】
送電線用の電柱は、地面に立孔を掘削し、この立孔中にその下端部を埋め込んで立設される。この場合、電柱はクレーンによりほぼ垂直な姿勢に懸吊され、その状態で電柱の下端部を立孔に挿入して立設するようになっている。
【０００３】
電柱はきわめて重量が重い。このため、電柱をクレーンにより吊り上げて、空中に架設された送電線を避けて動かしながら、その下端部を立孔にスムーズに挿入することは困難である。そこで、クレーンで電柱を吊り上げた状態で、作業者が電柱の下端部を立孔に位置合わせし、下端部を立孔へ挿入する必要がある。
【０００４】
この場合、電柱の立て替え工事は、送電線が活線状態で行われることが多いため、作業者が電柱に直接接触すると甚だ危険であり、このため従来、作業者が以下に述べる操作棒を手に保持して電柱の据付工事を行うことが知られている。
【０００５】
図４は、従来の電柱の据付工事の説明図である。図中、１は電柱であり、クレーン（図外）により垂直に懸吊されている。２は地面に掘削された立孔である。３、３は絶縁棒から成る操作棒である。操作棒３、３は２本一組であって、その先端部はベルト４で連結されている。したがって図示するようにベルト４を電柱１の下端部に巻き付け、作業者は２本の操作棒３、３を手に保持して電柱１を押し引きしながら、その下端部を立孔２の直上へ案内し、立孔２に挿入する。
【０００６】
【発明が解決しようとする課題】
しかしながら上記従来方法は、２本の操作棒３、３を使用するため、次にような問題点があった。
（１）両手に操作棒３を１本づつ持って操作しなければならないので、片手にかかる負担が大きい。
（２）ベルト４で電柱を締め付けるには、２本の操作棒３を両手にて内側に力を加え続けねばならず、長時間この状態を保ち続けることは肉体的に困難である。
（３）２本の操作棒３の両先端にベルト４を固定し、電柱１をベルト４にて締め付ける方法は、電柱１を手前に引く作業にはよいが、押す作業は行いにくい。したがって本発明は、電柱をスムーズに、しかも電気的に安全に立孔に案内できる電柱の据付用案内具を提供することを目的とする。
【０００７】
【課題を解決するための手段】
このため本発明は、絶縁材から成る操作棒１１と、電柱１の周面に当てがわれる円弧状の当接部材１２とから電柱の据付用案内具を構成している。そして当接部材１２の背面に第１のねじ部２０を設けるとともに、操作棒１１の先端部にこの第１のねじ部２０に螺合する第２のねじ部１９を設け、かつ当接部材１２に電柱１に巻き付けられるロープ１８の一端部を係止する係止部１７を設けるとともに、第１のねじ部２０にロープ１８を挿入する貫通孔２１を形成し、かつこの貫通孔２１の内部に当接子２２を内蔵し、第２のねじ部１９の先端部にてこの当接子２２を押すことにより、この当接子２２を貫通孔２１に挿入されたロープ１８に押し当ててロープ１８を固定するようにしている。
また好ましくは、操作棒１１に水切りストッパ１５と限界ストッパ１６を間隔をおいて装着している。
【０００８】
【作用】
上記構成によれば、ロープ１８を電柱１の下端部に巻き付けて電柱１を保持し、電柱１を地面の立孔２にスムーズに案内して挿入できる。またロープ１８を電柱１に巻き付けたり、電柱１から取りはずす作業は電柱１にまったく接触せずに行えるので、送電線が活線状態であっても、安全に工事を行える。
また操作棒１１に水切りストッパ１５と限界ストッパ１６を装着することにより、雨滴や水滴により操作棒１１が短絡するのを防止し、より安全に工事を行える。
【０００９】
【実施例】
次に、本発明の実施例を図面を参照しながら説明する。図１は電柱の据付用案内具の平面図である。１１は操作棒であって、例えばＦＲＰなどの絶縁材にて形成されている。操作棒１１の先端部には当接部材１２が取り付けられている。当接部材１２はステンレスなどにて円弧状に形成されている。また当接部材１２の内面にはゴム板などの弾性シート１３が貼着されており、この弾性シート１３を電柱１の周面に押し付ける。この弾性シート１３は、すべり止めとクッション材になる。
【００１０】
操作棒１１の後端部にはグリップ１４がＴ字形に連結されている。また操作棒１１の途中には断面末広がり状の水切りストッパ１５と限界ストッパ１６が間隔をおいて２個装着されている。水切りストッパ１５と限界ストッパ１６は同形状であって、ゴムなどの弾性材から成っている。この水切りストッパ１５と限界ストッパ１６は、雨滴や水滴が操作棒１１に沿って流れて、当接部材１２とグリップ１４が短絡するのを防止する。
【００１１】
当接部材１２の背面端部にはフック状の係止部１７が設けられている。１８はロープであって、その一端部はこの係止部１７に係止され、電柱１の周面に巻き付けられている。またロープ１８の他端部側は、以下に述べる手段により当接部材１２の背面側に固定されている。
【００１２】
図１および図２において、当接部材１２の背面には第１のねじ部としての雌ねじ部２０が設けられている。雌ねじ部２０にはロープ１８を挿入するための貫通孔２１が開孔されている。またその内部には当接子２２が内蔵されている。当接子２２はピン状であって、その先端面は内凹面２３となっており、貫通孔２１内に進入している。当接子２２はその長手方向に移動自在に雌ねじ部２０に内蔵されている。２４は当接子２２の表面に形成された細溝であって、雌ねじ部２０に螺着されたねじ棒２５の先端部が嵌入している。このねじ棒２５は当接子２２の回り止めと抜け止めである。
【００１３】
図２において、操作棒１１の先端部には第２のねじ部としての雄ねじ部１９が設けられている。この雄ねじ部１９は、雌ねじ部２０の内周面に形成された雌ねじ２６に螺合している。グリップ１４を保持して操作棒１１を回転させると、図２において雄ねじ部１９は左方へ前進し、その先端部で当接子２２の背面を押す。すると当接子２２の内凹面２３は貫通孔２１に挿入されたロープ１８に押当し、ロープ１８を内凹面２３と貫通孔２１の左側面でチャックして固定する。またグリップ１４を保持して操作棒１１を逆方向に回転させると、図２において雄ねじ部１９は右方へ後退し、ロープ１８のチャック状態を解除する。
【００１４】
この電柱の据付用案内具は上記のような構成より成り、次に電柱の据付方法を説明する。図３は、電柱１をクレーン（図外）でほぼ垂直な姿勢に懸吊し、地面に掘削された立孔２に挿入する様子を示している。作業者は、図１に示すようにロープ１８の一端部を当接部材１２の背面の係止部１７に係止し、電柱１の下端部に巻き付けて、ロープ１８の他端部を雌ねじ部２０の貫通孔２１に挿入する。
【００１５】
次にグリップ１４を保持して操作棒１１を回転させ、図２において雄ねじ部１９を左方へ前進させてその先端部で当接子２２を左方へ押し、ロープ１８をしっかりチャックする。このようにして電柱１の下端部をロープ１８で保持したならば、図３において作業者はグリップ１４を保持して操作棒１１を押し引きし、電柱１の下端部を立孔２の直上に案内する。そして電柱１の下端部が立孔２に合致したならば、クレーンを操作して電柱１を下降させ、その下端部を立孔２に若干挿入する。
【００１６】
次に作業者はグリップ１４を逆方向に回転させて雄ねじ部１９を後退させ、ロープ１８のチャック状態を解除したうえで、ロープ１８を貫通孔２１から引き抜き、ロープ１８を電柱１から取りはずすとともに、クレーンを操作して電柱１を更に下降させ、電柱１の下端部を立孔２に完全に挿入する。次に立孔２に土砂を投入して埋め戻し、電柱１を立設する。
【００１７】
以上により、電柱１を立設する作業は終了するが、作業中には電柱１はロープ１８でしっかり保持されているので、操作棒１１を押し引きしながら、電柱１の下端部を立孔２にスムーズに案内できる。また上記作業は、作業者は電柱１に直接接触せずに行うことが可能であるので、送電線が活線状態であっても、電撃のおそれなく安全に行える。また雨滴や水滴により、操作棒１１が多少濡れていても、水切りストッパ１５と限界ストッパ１６により当接部材１２とグリップ１４の間は絶縁されるので、短絡のおそれなく安全に作業を行える。なお操作棒１１の表面に、例えばテフロン樹脂などの撥水性塗料を塗布しておけば、より一層水滴による短絡を防止できる。
【００１８】
【発明の効果】
以上説明したように本発明は、絶縁材から成る操作棒１１と、電柱１の周面に当てがわれる円弧状の当接部材１２とから電柱の据付用案内具を構成し、当接部材１２の背面に第１のねじ部２０を設けるとともに、操作棒１１の先端部にこの第１のねじ部２０に螺合する第２のねじ部１９を設け、かつ当接部材１２に電柱１に巻き付けられるロープ１８の一端部を係止する係止部１７を設けるとともに、第１のねじ部２０にロープ１８を挿入する貫通孔２１を形成し、かつこの貫通孔２１の内部に当接子２２を内蔵し、第２のねじ部１９の先端部にてこの当接子２２を押すことにより、この当接子２２を貫通孔２１に挿入されたロープ１８に押し当ててロープ１８を固定するようにしているので、ロープ１８を電柱１の下端部に巻き付けて電柱１を保持し、電柱１を地面の立孔２にスムーズに案内して挿入できる。また電柱１から取りはずす作業は電柱１にまったく接触せずに行えるので、送電線が活線状態であっても、安全に工事を行える。また操作棒１１に水切りストッパ１５と限界ストッパ１６を装着することにより、雨滴や水滴による短絡を防止し、工事を安全にできる。
【図面の簡単な説明】
【図１】電柱の据付用案内具の平面図
【図２】電柱の据付用案内具の要部断面図
【図３】電柱の据付用案内具の使用中の斜視図
【図４】従来の電柱の据付工事の説明図
【符号の説明】
１  電柱
２  立孔
１１  操作棒
１２  当接部材
１４  グリップ
１５  水切りストッパ
１６  限界ストッパ
１７  係止部
１８  ロープ
１９  雄ねじ部（第２のねじ部）
２０  雌ねじ部（第１のねじ部）
２１  貫通孔
２２  当接子
【図１】
0003559346.tif 000002
【図２】
0003559346.tif 000003
【図３】
0003559346.tif 000004
【図４】
0003559346.tif 000005